(57)【要約】      （修正有）【課題】広告効果を持続させることができるティッシュペーパーセットを提供する。【解決手段】ティッシュペーパーセットを構成する広告媒体の表面によって印刷された広告内容を読み取るとともに、「裏面にくじがあります。アスレチックシューズが貰えます。」との表示部分によってティッシュペーパーセットの保持者はその裏面２４に表示されている抽選日までこの広告媒体を保持する。抽選日に至ると裏面２４のくじ部２６を読み取って携帯電話等により広告先へと伝送して、当選したか否かを確認し、当選した人は、その当選に対応する商品を得ることができる。【選択図】図４
0003116727.tif 000002
【実用新案登録請求の範囲】
【請求項１】
複数の積層されたティッシュペーパーと、
前記ティッシュペーパーを包被する透明且つ可撓性を有するケースと、
前記ケース内において前記ティッシュペーパーと積層されて一方の面が前記ケースを通して視認可能な平面状の広告媒体と、を有し、
前記広告媒体の一方の面又は他方の面にくじ用二次元コード又はくじ用番号が設けられていることを特徴とするティッシュペーパーセット。
【考案の詳細な説明】
【技術分野】
【０００１】
本考案は、ティッシュペーパーセットに関し、一層詳細には、積層されるティッシュペーパーと、それを包被する透明且つ可撓性のケースとの間に平面状の広告媒体を挿入し、この広告媒体にくじ用二次元コード又はくじ用番号を設けることにより抽選日迄その広告媒体を保持せしめ、それによって、長期間に亘って広告媒体としての機能を持続させることが可能なティッシュペーパーセットに関する。
【背景技術】
【０００２】
従来から、街頭や店舗内において、サービス用としてティッシュペーパーセットが配布されている。広告媒体を中に組み込み、顧客関係の確立や維持を図るためのものである。
【０００３】
ところで、この種のティッシュペーパーセットは、一旦配布されると、特に広告媒体に注目されることなく、ティッシュが消費されるとそのまま捨てられるものが大多数である。結局、前記広告媒体によって一時的な広告効果が果たせたとしても、長期間に亘ってその効果を持続させることは困難である。
【０００４】
例えば、特開平５−１２５２４号公報（特許文献１）は発明「広告用くじ装置」を開示する。特に、この特許文献１にはティッシュペーパーを適宜積層したペーパー単位体１を外包装２と内包装３により包装して頒布体Ａを構成し、前記内包装３の表面に当選景品情報４、広告５、抽選番号６及び当選番号問合せ用電話番号７を印刷したものが開示されている。
【０００５】
しかしながら、この発明「広告用くじ装置」では当選番号は電話回線を用いて即時に確認でき、当選の有無が判別されると棄捨され頒布体Ａ自体が長い期間に亘って手元に留め置かれるものではない。すなわち、広告５による効果は持続されない。
【０００６】
【特許文献１】特開平５−１２５２４号公報
【考案の開示】
【考案が解決しようとする課題】
【０００７】
本考案は、前記の問題点を克服するためになされたものであって、長期間に亘って広告効果を持続させ、且つ、くじに当選した人からは、さらにその当選した事実及び広告媒体を提供した法人名称等を口コミよって宣伝することにより、さらに広告主に関する情報を伝播せしめることを可能とするティッシュペーパーセットを提供することにある。
【課題を解決するための手段】
【０００８】
前記の目的を達成するために、本考案は、複数の積層されたティッシュペーパーと、前記ティッシュペーパーを包被する透明且つ可撓性のケースと、前記ケース内において前記ティッシュペーパーと積層されて一方の面が前記ケースを通して視認可能な平面状の広告媒体と、を有し、前記広告媒体の一方の面又は他方の面にくじ用二次元コード又はくじ用番号が設けられていることを特徴とする。
【考案の効果】
【０００９】
本考案に係るティッシュペーパーセットを受領した人は、二次元コードやくじ用番号で表示されたくじの存在を確認し、その抽選日に至るまで広告媒体を保持することになる。従って、例えば一ヶ月後に抽選日が設定されているならば、その一ヶ月間は該広告媒体を手元に保存する。それによって、広告効果が長期間に亘って持続される。
【００１０】
さらにまた、当選に至れば、その当選者は広告媒体によって取得したティッシュペーパーの配布先に関しての情報を口コミよって流すに至る。従って、さらに広告機能が深まるという効果が得られる。
【考案を実施するための最良の形態】
【００１１】
本考案に係るティッシュペーパーセットについて、好適な実施の形態を挙げ添付の図面を参照しながら、以下、詳細に説明する。
【００１２】
参照符号１０は、本考案に係るティッシュペーパーセットを示し、その内部に、図２に示すように、ティッシュペーパー１２が複数枚積層され、これらのティッシュペーパー１２は透明で且つ可撓性のある部材、例えば、ポリプロピレンや塩化ビニールからなるケース１４によって包被されている。
【００１３】
前記ケース１４の平面略中央部には、このケース１４を押さえて中からティッシュペーパー１２を取り出すための切断部１６が破線状に設けられている。
【００１４】
本考案においては、図２に示すとおり、ケース１４の内側とティッシュペーパー１２の間に紙からなる平面状の広告媒体１８が介装されている。図３に示すように、広告媒体１８には、例えば、その表面２０にフィットネスクラブの案内、そのフィットネスクラブの所在地、電話番号、営業時間、特徴等が印刷されている。勿論、裏面に限らず、表面に「くじ」のあること、賞品等の種類を表示してもよい。そして、その表面２０の一部には、「裏面にくじがあります。くじに当たるとアスレチックシューズが貰えます。」との表示部分２２が印刷されている。そして、広告媒体１８の裏面２４には、抽選日○月×日、二次元コード、例えば、バーコードやＱＲコード（登録商標）、さらには宝くじのように組番号と当選番号とが印刷されたくじ部２６が形成されている。前記くじ部２６のくじ番号については、１２３４−５６７８−９０１２の如き番号のみ、あるいはＡＢＣＤ−ＥＦＧＨ−ＩＪＫの如き英文字、また、英文字と数字との組合せ、例えば、ＡＢＣＤ−１２３４−５６７８等であってもよい。さらに、別の記号を付加してよいことは勿論である。勿論、前記バーコード、ＱＲコード（登録商標）、組番号と当選番号とは選択的に表示され、これらに限定されるものではない。
【００１５】
従って、このような構成によれば、前記広告媒体の１８の裏面２４に表示されている抽選日まで、このティッシュペーパーセット１０の保持者はこれを保持し、抽選日に至って、例えば、携帯電話を用いてくじ部２６、例えば、バーコードかＱＲコード（登録商標）を写してこのティッシュペーパーセット１０の配布先、例えば、前記フィットネスクラブに伝送して問い合せをかければよい。その結果、所定の数の人にアスレチックシューズが貰えることになる。また、抽選日を複数日設定して二次チャンス、三次チャンスとして当選の機会を与えてもよい。この場合、例えば、ホームページや雑誌等の各種媒体に当選番号を表示してもよいことは勿論である。
【００１６】
本実施の形態によれば、抽選日に至るまでティッシュペーパーセット１０の保持者は、広告媒体１８を保持することができる。それによって、広告効果が長期に亘って維持される。そして、当選した人によって、さらにこの広告媒体の配布先が宣伝される可能性があるため、より一層広告効果が波及するという実用的効果が得られる。
【図面の簡単な説明】
【００１７】
【図１】本実施の形態に係るティッシュペーパーセットの斜視図である。
【図２】図１に示すティッシュペーパーセットの縦断説明図である。
【図３】図１及び図２に介装される広告媒体の表面の表示内容を示す斜視図である。
【図４】図３の裏面の表示内容を示す広告媒体の斜視図である。
【符号の説明】
【００１８】
１０…ティッシュペーパーセット        １２…ティッシュペーパー
１４…ケース                          １８…広告媒体
２０…表面                            ２２…表示部分
２４…裏面                            ２６…くじ部
【図１】
0003116727.tif 000003
【図２】
0003116727.tif 000004
【図３】
0003116727.tif 000005
【図４】
0003116727.tif 000006